【手続補正書】
【提出日】平成25年2月25日(2013.2.25)
【手続補正１】
【補正対象書類名】特許請求の範囲
【補正対象項目名】全文
【補正方法】変更
【補正の内容】
【特許請求の範囲】
【請求項１】
遊技球の入賞を検知する始動入賞手段と、前記始動入賞手段による遊技球の入賞検知を契機に複数列の図柄を変動させて図柄変動ゲームを実行する演出実行手段と、を備え、前記図柄変動ゲームで予め決められた大当り表示結果が表示された場合には当該図柄変動ゲームの終了後に遊技球の入球が許容される特別入賞手段を開放するラウンド遊技により構成される大当り遊技が付与される遊技機において、
前記始動入賞手段に遊技球が入球したことを契機に、図柄変動ゲームが大当りとなるか否かの判定を行う大当り判定手段と、
前記大当り判定手段の判定結果が否定の場合、リーチ演出を実行するか否かの判定を行うリーチ判定手段と、
前記大当り判定手段の判定結果に基づいて、図柄変動ゲームの演出時間と図柄変動ゲームの演出内容を特定可能な変動パターンを決定する変動パターン決定手段と、
前記大当り遊技終了後、通常よりも高確率で大当りとなる確変状態を付与する確変状態付与手段と、
前記大当り遊技が終了してから実行された図柄変動ゲームの回数をゲーム回数としてカウントするゲーム回数カウント手段と、
前記変動パターン決定手段が決定した変動パターンに基づいて図柄変動ゲームを前記演出実行手段に実行させるゲーム実行手段と、を備え、
前記確変状態付与手段は、前記ゲーム回数カウント手段がカウントしたゲーム回数が予め決められた上限付与回数に達した場合、前記確変状態の付与を終了するようになっており、
前記変動パターン決定手段は、
前記リーチ判定手段の判定結果が否定の場合、はずれ通常演出用の変動パターンから変動パターンを決定し、
前記リーチ判定手段の判定結果が肯定の場合、複数種類のはずれリーチ演出用の変動パターンから変動パターンを決定し、
前記大当り判定手段の判定結果が肯定で前記確変状態が付与されている場合、前記ゲーム回数カウント手段がカウントするゲーム回数が前記上限付与回数よりも少ない所定回数に達するまでは、複数種類の大当り演出用の変動パターンの中から変動パターンを決定し、前記ゲーム回数が前記所定回数に達してからは、前記ゲーム回数が前記所定回数に達するまでに決定可能な大当り演出用の変動パターンと共通の大当り演出用の変動パターンに加えて、前記はずれリーチ演出用の変動パターンと同じ演出内容の後に大当り表示結果を表示する演出を加えた演出内容を特定可能な特別大当り演出用の変動パターンを含む複数種類の大当り演出用の変動パターンの中から変動パターンを決定することを特徴とする遊技機。
【請求項２】
前記変動パターン決定手段は、
前記大当り判定手段の判定結果が肯定の場合、前記ゲーム回数カウント手段がカウントするゲーム回数が前記所定回数に達してから前記上限付与回数に達するまでは、前記特別大当り演出用の変動パターンを含む、複数種類の大当り演出用の変動パターンの中から変動パターンを決定する一方で、前記ゲーム回数カウント手段がカウントするゲーム回数が前記所定回数に達するまでは、前記特別大当り演出用の変動パターン以外の複数種類の大当り演出用の変動パターンの中から変動パターンを決定することを特徴とする請求項１に記載の遊技機。
【請求項３】
前記リーチ判定手段は、
前記ゲーム回数カウント手段がカウントするゲーム回数が前記所定回数に達している場合、前記ゲーム回数カウント手段がカウントするゲーム回数が前記所定回数に達していない場合と比較して、高確率でリーチ演出を実行すると判定することを特徴とする請求項１又は請求項２に記載の遊技機。
【請求項４】
前記大当り判定手段の判定結果が肯定の場合、前記始動入賞手段に遊技球が入球する確率が通常よりも高確率となる入球率向上状態を付与するか否かを判定する入球率向上状態判定手段と、
前記入球率向上状態判定手段の判定結果が肯定の場合、前記入球率向上状態を付与する入球率向上状態付与手段と、を備え、
前記入球率向上状態付与手段は、前記ゲーム回数カウント手段がカウントするゲーム回数が予め定められた入球率向上状態付与回数に達した場合、前記入球率向上状態の付与を終了するようになっており、
前記変動パターン決定手段は、
前記大当り判定手段の判定結果が肯定の場合で前記確変状態が付与されているとき、前記ゲーム回数カウント手段がカウントするゲーム回数が前記入球率向上状態付与回数よりも少ない前記所定回数に達するまでは、前記特別大当り演出用の変動パターン以外の複数種類の大当り演出用の変動パターンの中から変動パターンを決定し、前記ゲーム回数が前記所定回数に達してから前記入球率向上状態付与回数に達するまでは、前記特別大当り演出用の変動パターンを含む複数種類の大当り演出用の変動パターンの中から変動パターンを決定することを特徴とする請求項１に記載の遊技機。
【請求項５】
前記大当り判定手段の判定結果が肯定の場合、大当り遊技終了後に前記確変状態を付与するか否かを判定する確変判定手段と、
前記大当り判定手段の判定結果が肯定の場合、前記特別入賞手段の開放態様が異なる複数種類の大当り遊技の中から付与する大当り遊技の種類を決定する大当り遊技決定手段と、
前記図柄変動ゲーム終了後、前記大当り遊技決定手段が決定した大当り遊技を付与する大当り遊技付与手段と、を備え、
前記確変状態付与手段は、前記確変判定手段の判定結果が肯定のとき、大当り遊技終了後に前記確変状態を付与するようになっており、
前記確変判定手段は、
前記大当り遊技決定手段が決定した大当り遊技の種類が複数種類の大当り遊技のうち前記特別入賞手段の開放時間が最も短い種類の短縮大当り遊技であった場合、大当り遊技終了後に確変状態を付与することを決定する一方、
前記大当り遊技決定手段が決定した大当り遊技の種類が前記短縮大当り遊技よりも前記特別入賞手段の開放時間が長い種類の大当り遊技であった場合、大当り遊技終了後に確変状態を付与するか否かを判定するようになっており、
前記変動パターン決定手段は、
前記大当り遊技決定手段が前記短縮大当り遊技を決定した場合、前記ゲーム回数カウント手段がカウントするゲーム回数が前記所定回数に達しているときには前記特別大当り演出用の変動パターンを決定することを特徴とする請求項１〜請求項４のうち何れか一項に記載の遊技機。
【手続補正２】
【補正対象書類名】明細書
【補正対象項目名】０００８
【補正方法】変更
【補正の内容】
【０００８】
上記課題を解決するために、請求項１に記載の発明は、遊技球の入賞を検知する始動入賞手段と、前記始動入賞手段による遊技球の入賞検知を契機に複数列の図柄を変動させて図柄変動ゲームを実行する演出実行手段と、を備え、前記図柄変動ゲームで予め決められた大当り表示結果が表示された場合には当該図柄変動ゲームの終了後に遊技球の入球が許容される特別入賞手段を開放するラウンド遊技により構成される大当り遊技が付与される遊技機において、前記始動入賞手段に遊技球が入球したことを契機に、図柄変動ゲームが大当りとなるか否かの判定を行う大当り判定手段と、前記大当り判定手段の判定結果が否定の場合、リーチ演出を実行するか否かの判定を行うリーチ判定手段と、前記大当り判定手段の判定結果に基づいて、図柄変動ゲームの演出時間と図柄変動ゲームの演出内容を特定可能な変動パターンを決定する変動パターン決定手段と、前記大当り遊技終了後、通常よりも高確率で大当りとなる確変状態を付与する確変状態付与手段と、前記大当り遊技が終了してから実行された図柄変動ゲームの回数をゲーム回数としてカウントするゲーム回数カウント手段と、前記変動パターン決定手段が決定した変動パターンに基づいて図柄変動ゲームを前記演出実行手段に実行させるゲーム実行手段と、を備え、前記確変状態付与手段は、前記ゲーム回数カウント手段がカウントしたゲーム回数が予め決められた上限付与回数に達した場合、前記確変状態の付与を終了するようになっており、前記変動パターン決定手段は、前記リーチ判定手段の判定結果が否定の場合、はずれ通常演出用の変動パターンから変動パターンを決定し、前記リーチ判定手段の判定結果が肯定の場合、複数種類のはずれリーチ演出用の変動パターンから変動パターンを決定し、前記大当り判定手段の判定結果が肯定で前記確変状態が付与されている場合、前記ゲーム回数カウント手段がカウントするゲーム回数が前記上限付与回数よりも少ない所定回数に達するまでは、複数種類の大当り演出用の変動パターンの中から変動パターンを決定し、前記ゲーム回数が前記所定回数に達してからは、前記ゲーム回数が前記所定回数に達するまでに決定可能な大当り演出用の変動パターンと共通の大当り演出用の変動パターンに加えて、前記はずれリーチ演出用の変動パターンと同じ演出内容の後に大当り表示結果を表示する演出を加えた演出内容を特定可能な特別大当り演出用の変動パターンを含む複数種類の大当り演出用の変動パターンの中から変動パターンを決定することを要旨とする。
【手続補正３】
【補正対象書類名】明細書
【補正対象項目名】０００９
【補正方法】変更
【補正の内容】
【０００９】
請求項２に記載の発明は、請求項１に記載の遊技機において、前記変動パターン決定手段は、前記大当り判定手段の判定結果が肯定の場合、前記ゲーム回数カウント手段がカウントするゲーム回数が前記所定回数に達してから前記上限付与回数に達するまでは、前記特別大当り演出用の変動パターンを含む、複数種類の大当り演出用の変動パターンの中から変動パターンを決定する一方で、前記ゲーム回数カウント手段がカウントするゲーム回数が前記所定回数に達するまでは、前記特別大当り演出用の変動パターン以外の複数種類の大当り演出用の変動パターンの中から変動パターンを決定することを要旨とする。
【手続補正４】
【補正対象書類名】明細書
【補正対象項目名】００１１
【補正方法】変更
【補正の内容】
【００１１】
請求項４に記載の発明は、請求項１に記載の遊技機において、前記大当り判定手段の判定結果が肯定の場合、前記始動入賞手段に遊技球が入球する確率が通常よりも高確率となる入球率向上状態を付与するか否かを判定する入球率向上状態判定手段と、前記入球率向上状態判定手段の判定結果が肯定の場合、前記入球率向上状態を付与する入球率向上状態付与手段と、を備え、前記入球率向上状態付与手段は、前記ゲーム回数カウント手段がカウントするゲーム回数が予め定められた入球率向上状態付与回数に達した場合、前記入球率向上状態の付与を終了するようになっており、前記変動パターン決定手段は、前記大当り判定手段の判定結果が肯定の場合で前記確変状態が付与されているとき、前記ゲーム回数カウント手段がカウントするゲーム回数が前記入球率向上状態付与回数よりも少ない前記所定回数に達するまでは、前記特別大当り演出用の変動パターン以外の複数種類の大当り演出用の変動パターンの中から変動パターンを決定し、前記ゲーム回数が前記所定回数に達してから前記入球率向上状態付与回数に達するまでは、前記特別大当り演出用の変動パターンを含む複数種類の大当り演出用の変動パターンの中から変動パターンを決定することを要旨とする。
【手続補正５】
【補正対象書類名】明細書
【補正対象項目名】００１２
【補正方法】変更
【補正の内容】
【００１２】
請求項５に記載の発明は、請求項１〜請求項４のうち何れか一項に記載の遊技機において、前記大当り判定手段の判定結果が肯定の場合、大当り遊技終了後に前記確変状態を付与するか否かを判定する確変判定手段と、前記大当り判定手段の判定結果が肯定の場合、前記特別入賞手段の開放態様が異なる複数種類の大当り遊技の中から付与する大当り遊技の種類を決定する大当り遊技決定手段と、前記図柄変動ゲーム終了後、前記大当り遊技決定手段が決定した大当り遊技を付与する大当り遊技付与手段と、を備え、前記確変状態付与手段は、前記確変判定手段の判定結果が肯定のとき、大当り遊技終了後に前記確変状態を付与するようになっており、前記確変判定手段は、前記大当り遊技決定手段が決定した大当り遊技の種類が複数種類の大当り遊技のうち前記特別入賞手段の開放時間が最も短い種類の短縮大当り遊技であった場合、大当り遊技終了後に確変状態を付与することを決定する一方、前記大当り遊技決定手段が決定した大当り遊技の種類が前記短縮大当り遊技よりも前記特別入賞手段の開放時間が長い種類の大当り遊技であった場合、大当り遊技終了後に確変状態を付与するか否かを判定するようになっており、前記変動パターン決定手段は、前記大当り遊技決定手段が前記短縮大当り遊技を決定した場合、前記ゲーム回数カウント手段がカウントするゲーム回数が前記所定回数に達しているときには前記特別大当り演出用の変動パターンを決定することを要旨とする。